(57)【特許請求の範囲】
【請求項１】
少なくとも１つの釘が被測定面に対して略垂直に打ち込まれている被測定面の傾斜角を測定する傾斜計であって、
前記釘より長く、使用時において前記被測定面にその先端が当接させられる、略棒状の複数の設置用脚と、
複数の前記設置用脚の基端が接続されており、複数の前記設置用脚の先端が前記被測定面に当接させられることにより前記被測定面に対する距離が一定に決定されるようになっている傾斜計本体と、
前記傾斜計本体に対して固定の位置関係にある仮想の軸である仮想軸の傾斜角を測定する、前記傾斜計本体に設けられた傾斜角測定手段と、
前記設置用脚の少なくとも1つに設けられており、弾性体によって前記傾斜計本体に向かう方向に付勢力を与えるようにされ、且つ前記弾性体によって与えられる付勢力に抗する外力を加えることにより当該設置用脚に沿って前記傾斜計本体から離れる方向に移動できるようにされている可動体と、
を備えており、
前記可動体には、当該可動体が設けられている前記設置用脚の前記先端が前記被測定面に当接させられた状態で、前記外力が加えられていない場合には、前記釘の釘傘よりも前記傾斜計本体に近い位置にあり、前記外力が加えられた場合には、前記釘の釘傘よりも前記傾斜計本体から遠い移置にまで移動させることができるようになっている接面が設けられており、
前記可動体が設けられている前記設置用脚の前記先端を前記釘の近辺の前記被測定面に当接させた状態で、前記可動体に前記外力を加えて当該釘の釘傘よりも前記傾斜計本体から遠い位置にまで移動させた前記接面を当該釘の釘傘の前記被測定面側の面に係止させ、前記弾性体による付勢力によって前記接面を前記釘傘に対して前記傾斜計本体の方向に付勢させることで、前記設置用脚を前記被測定面に固定することができるようになっている、
傾斜計。
【請求項２】
前記可動体の下面には、前記設置用脚の長さ方向に沿う溝が設けられており、その溝に前記釘を係止させられるようになっている、
請求項１記載の傾斜計。
【請求項３】
前記傾斜計本体は、前記可動体が設けられている前記設置用脚の前記先端を前記釘の近辺の前記被測定面に当接させた状態において、上下方向を長さ方向とする片手で保持できる程度の細長い形状とされ、当該傾斜計の重心位置より上の範囲の中で相対的に最も上部に存在する前記設置用脚に当該可動体が設けられている、
請求項２記載の傾斜計。
【発明の詳細な説明】
【技術分野】
【０００１】
本発明は、遊技機の垂直を計測し、或いは垂直からの傾斜角度を計測することに用いる傾斜計に関する。
【背景技術】
【０００２】
パチンコ遊技機では、その盤面に適度な傾斜を与えることによって出玉の調整を行えることが知られている。パチンコ遊技機の盤面が水平に近い角度になればなる程、球は釘によくからむようになることを利用したものである。パチンコ遊技機取付けの際に適度な傾斜を与えたり、事後的にその調整を行えるようにすることで、釘の調節を行った場合と同様の効果をより簡易に得られるようになる。
【０００３】
発明者らは、このような点を考慮して、特開昭６３−２２６３８５号、特開昭６３−２２６３８６号、特開平１０−８０５６３号、特開２００２−０６２１３１号などの出願をしている。これらは、パチンコ遊技機を、その傾斜角を可変としてパチンコ遊技機設置用ユニットに固定するための器具に関する。
【０００４】
これらの器具はそれぞれ有用であるが、これらの器具を使用するにあたっては、パチンコ遊技機の垂直を確認したり、その傾斜角を確認したりする必要に迫られることとなり、また計測の精度も求められることとなる。  
【発明の開示】
【発明が解決しようとする課題】
【０００５】
そこで、本発明は、垂直を計測し、或いは垂直からの傾斜角度を計測するのに用いるものであり、手軽に使用でき、且つ一定の精度を出せる傾斜計を提供することをその課題とする。
【課題を解決するための手段】
【０００６】
本願発明者は、上述の課題を解決するために、以下のような傾斜計を提案する。
【０００７】
本発明の傾斜計は、少なくとも１つの釘が被測定面に対して略垂直に打ち込まれている被測定面の傾斜角を測定する傾斜計であって、前記釘より長く、使用時において前記被測定面にその先端が当接させられる、略棒状の複数の設置用脚と、  複数の前記設置用脚の基端が接続されており、複数の前記設置用脚の先端が前記被測定面に当接させられることにより前記被測定面に対する距離が一定に決定されるようになっている傾斜計本体と、前記傾斜計本体に対して固定の位置関係にある仮想の軸である仮想軸の傾斜角を測定する、前記傾斜計本体に設けられた傾斜角測定手段と、前記設置用脚の少なくとも1つに設けられており、弾性体によって前記傾斜計本体に向かう方向に（例えば、常に）付勢力を与えるようにされ、且つ前記弾性体によって与えられる付勢力に抗する外力を加えることにより当該設置用脚に沿って前記傾斜計本体から離れる方向に移動できるようにされている可動体と、を備えており、前記可動体には、当該可動体が設けられている前記設置用脚の前記先端が前記被測定面に当接させられた状態で、前記外力が加えられていない場合には、前記釘の釘傘よりも前記傾斜計本体に近い位置にあり、前記外力が加えられた場合には、前記釘の釘傘よりも前記傾斜計本体から遠い移置にまで移動させることができるようになっている接面が設けられており、前記可動体が設けられている前記設置用脚の前記先端を前記釘の近辺の前記被測定面に当接させた状態で、前記可動体に前記外力を加えて当該釘の釘傘よりも前記傾斜計本体から遠い位置にまで移動させた前記接面を当該釘の釘傘の前記被測定面側の面に係止させ、前記弾性体による付勢力によって前記接面を前記釘傘に対して前記傾斜計本体の方向に付勢させることで、前記設置用脚を前記被測定面に固定することができるようになっている。
通常、パチンコ遊技機には、被測定面である盤面に多数の釘が存在するため、盤面の傾斜角を測定する場合に、それらの釘が障害となり正確に盤面の傾斜角を測定することができない。そこで、この傾斜計は、そのような多数の釘を回避することができるような長さを持つ設置用脚を複数備え、設置用脚の先端を盤面に当接させて盤面との距離を一定にし、傾斜計本体に対して固定の位置関係にある仮想の軸の傾斜角を測定するものとなっている。さらに、少なくとも１つの設置用脚に設けられた可動体を用いて１本の釘に固定できるようにしてあるので、容易に、且つ正確に盤面の傾斜角を測定できるようになっている。
本発明の傾斜計では、傾斜計の設置用脚を盤面に対して固定する際には、可動体のある設置用脚の先端を盤面の釘の近辺に当接させた状態で、外力が加えられていない場合には、釘の釘傘よりも傾斜計本体に近い位置にある可動体の釘の釘傘に対する接面を、可動体に外力を加えることによって釘傘よりも傾斜計本体から遠い位置にまで移動し、釘傘の盤面側の面に係止させ、弾性体による付勢力によって接面を釘傘に対して傾斜計本体の方向に付勢させるようになっている。そのような弾性体を備える可動体を用いることで、傾斜計の設置用脚を盤面に固定する場合における、設置用脚が盤面を押す力が常に一定になる。例えば、手で傾斜計を持ち、設置用脚を盤面に押付けた場合には、設置用脚を盤面に押付ける力が過剰であった場合、可撓性を有する盤面を湾曲させてしまい、結果的に正確に傾斜角を測定できなくなる場合がある。本発明では、傾斜系による盤面の傾斜の測定にあたり、設置用脚を盤面に押付ける力を弾性体による一定の力にすることができるので、上述の不具合を避けることができるようになるため、傾斜角の測定の精度を向上させられるようになる。
なお、本発明の傾斜計は、このような可動体を有する設置用脚を盤面に対して着脱自在に固定できるようなものであるため、傾斜角の測定の際に作業者が傾斜計から手を離すことができる。それにより、作業者は、傾斜計を見ながら盤面の傾斜角の測定を行えるようになり便利である。
傾斜計の設置用脚は、盤面に平行して対向する傾斜計本体の対向面上を平行に移動できるようになっていてもよい。
【０００８】
前記可動体の下面には、前記設置用脚の長さ方向に沿う溝が設けられており、その溝に前記釘を係止させられるようになっていてもよい。溝に釘がうまくはめ込まれることで、可動体による釘に対する固定がより安定したものになり、傾斜角の測定が容易且つ正確になる。
【０００９】
傾斜計本体は、前記可動体が設けられている前記設置用脚の前記先端を前記釘の近辺の前記被測定面に当接させた状態において、上下方向を長さ方向とする片手で保持できる程度の細長い形状とされ、当該傾斜計の重心位置より上の範囲の中で相対的に最も上部に存在する前記設置用脚に当該可動体が設けられていてもよい。
傾斜計本体を、上下方向を長さ方向とする片手で保持できる程度の細長い形状とすることで、手軽に傾斜計を被測定面に当接することができる。また、傾斜計の重心位置よりも上にあり相対的に最も上部に位置する脚を被測定面に固定することで、傾斜計を支える手を離したとしても、傾斜計自体の重さで、可動部材を有する設置用脚を軸として傾斜計が回転してしまうことを回避することができる。このことにより、可動体に備わった設置用脚による盤面への固定の安定性はより強いものとなる。
【発明を実施するための最良の形態】
【００１０】
以下に、本発明を実施するための最良の一実施形態を、図面を参照しつつ説明する。
図１には、この実施形態において、傾斜計１０を、被測定面２０に設置した状態が示されている。図2は、傾斜計１０の斜視図である。
被測定面２０は、パチンコ遊技機における盤面であり、複数の釘２１が打ち込まれている。被測定面２０は、釘２１が打ち込まれている面を前面として、その上部が後方となるようにして傾いている。本発明による傾斜計１０は、この盤面の傾斜を測定するものである。なお、被測定面２０は、この実施形態では、公知の手法で傾斜角を変化させられるようになっている。
【００１１】
図１に示したように、傾斜計１０は、その使用時における上下方向を長さ方向とする傾斜計本体１１を有する。傾斜計本体１１は、これには限られないが、金属製であり、直方体形状に形成されている。この実施形態では、直方体である傾斜計本体１１を、傾斜計本体１１の被測定面２０に臨む対向面１２が、被測定面２０に平行になるようにした状態で用いる。地上に対する垂直方向からの被測定面２０の傾斜角は、対向面１２の傾斜角によって計測することができる。なお、対向面１２上の最大傾斜方向に沿う線は、本発明における仮想軸の一例となる。
【００１２】
この実施形態における傾斜計本体１１には、対向面１２に平行な面である背面１３がある。背面１３には、背面１３に対して垂直な面を持つテーブル状部材１４が備えられている。テーブル状部材１４の上には、傾斜角測定手段として、背面１３に対して垂直方向に複数の水準計１５が備えられている。傾斜計１０を地面に対して垂直に設置した場合に、各水準計１５は、背面１３に近い一端が他端より高くなるようになっており、それぞれ傾斜角Ａを有する。この実施形態では、テーブル状部材１４上の水準計１５はそれぞれ異なる傾斜角Ａを有するように設置されている。傾斜計１０を被測定面２０に設置したときに、水準計１５のうちで水平を示すものがあれば、その水準計１５の傾斜角Ａは、対向面１２の地上に対する垂直方向からの傾斜角に一致する。上述したように、傾斜計本体１１は対向面１２が被測定面２０に平行になるように設置される。したがって、対向面１２の傾斜角である傾斜角Ａは、被測定面２０の地上に対する垂直方向からの傾斜角ということになるのである。例えば、この実施形態では、水準計１５を４台使用しており、各水準計１５に与えられた傾斜角Ａはそれぞれ、図２の手前から、３度、３．５度、４度、４．５度になっている。したがって、傾斜計１０を被測定面２０に設置したときに、例えば、４度を計測する水準計１５が水平であれば、被測定面２０の傾斜角は４度ということになる。なお、水準計１５の数及び各水準計１５の傾斜角は、適当に決定できる。更にいえば、傾斜角測定手段として、水準計を使用しなくてもよいし、傾斜角測定手段によってはテーブル状部材１４も使用しなくてもかまわない。例えば、水準計１５の代わりに、内部に傾斜センサを備えるコンピュータで制御された傾斜角測定装置を使用すること等が考えられる。
【００１３】
傾斜計本体１１の対向面１２には、略棒状である設置用脚が接続されている。例えば、この実施形態における傾斜計本体１１には、角柱状である２本の設置用脚３０及び４０が接続されている。これら設置用脚３０及び４０は、釘２１よりも長い必要がある。また、この実施形態では、これら設置用脚３０及び４０は、各設置用脚３０及び４０の先端を被測定面２０に当接させた状態で、対向面１２と被測定面２０が平行になり、対向面１２から被測定面２０までの距離が一定になるような長さになっている。つまり、設置用脚３０及び４０は、その先端が互いに面一となっている。設置用脚は２本である必要はなく、傾斜計本体１１の形状等の要素に合わせて増加させてもよい。また、この実施形態では、設置用脚は角柱状であるが、略棒状であれば他の形状であってもよく、例えば、円柱状である場合等が考えられる。
【００１４】
２本の設置用脚のうち、その使用時において相対的に上部に存在する設置用脚３０は、傾斜計１０の重心位置より上の範囲の中にある。この設置用脚３０には、可動体３１が備わっている。この実施形態では、もう一方の設置用脚４０には可動体が備わっていないが、２本の設置用脚に可動体が備わっていても構わない。
【００１５】
図３は、設置用脚３０の可動体３１付近の内部構造を示す図であり、図４は、図１における設置用脚３０の可動体３１付近を拡大したものである。設置用脚３０の可動体３１によって覆われている部分には、断面略矩形形状の空洞３２が存在する。また、空洞３２の内部には、第１バネ３３が備わっている。可動体３１は、第１樹脂体５０及び第２樹脂体６０によって構成されており、空洞３２を挟み込むように組み合わせて構成される。第１樹脂体５０には、第１突起部５１が存在する。第１突起部５１は、設置用脚３０の長さ方向と平行な板状になっており、空洞３２近くの両端には、この突起部５１をはめ込むができるように、設置用脚３０の長さ方向と平行に長さを持つ窪み３４が存在する。この窪み３４の設置用脚３０の長さ方向の長さは、第１突起部５１の同方向の長さより長いものとなっている。
また、可動体３１の下面には、溝５２があり、釘２１をより安定した状態で係止できるようになっている。
【００１６】
第１樹脂体５０には、直方体状の第２突起部５３があり、それを設置用脚３０の空洞３２に差し込む。この状態で第２突起部５３の設置用脚３０の先端方向の面が第１バネ３３に当接するようになる。第１バネ３３は、第２突起部５３を第１バネ３３に当接させた状態で、すでに縮んだ状態になっており、常に第２突起部５３を傾斜計本体１１の方向に付勢する。可動体３１を傾斜計本体１１から設置用脚３０に沿って遠ざけることで、第２突起部５３が第１バネ３３をさらに縮ませることになり、第２突起部５３を傾斜計本体１１の方向に付勢する力がより強くなるようになっている。
【００１７】
この実施形態では、第１樹脂体５０を、２つの第１突起部５１が対応する２つの窪み３４に合うように嵌め込み、その上から第２樹脂体６０で覆うように組み合わせる。第１突起部５１は、窪み３４に沿って設置用脚３０の長さ方向に案内されながら移動させることができる。第１突起部５１は、窪み３４の長さの範囲の中でのみ移動させることができ、それに伴い可動体３１の移動範囲も制限されるようになっている。
【００１８】
可動体３１の傾斜計本体１１に最も近い面が接面３５である。接面３５は、可動体３１の移動に伴って移動する。接面３５は、可動体３１が初期状態にあるときの位置ａから位置ｂまでくるように移動させることができる。位置ｂは、釘２１の釘傘２２の被測定面２０側の面よりも、被測定面２０に近い位置である。上述したように、可動体３１を被測定面２０の方向に移動させることで、第１バネ３３によって可動体３１を傾斜計本体１１の方向に付勢する強い力が生じる。そして、接面３５が釘傘２２の被測定面２０側の面に当接するように可動体３１を解放すると、可動体３１に生じている付勢する力によって、可動体３１を釘２１に係止させることができる。このとき、釘２１を溝５２に沿うよう当接させることで、可動体３１を釘２１により安定した状態で固定することができる。可動体３１は、樹脂製でなくてよいし、直方体形状でなくてもよいが、可動体３１の接面３５から溝５２のある可動体３１の下面に至る部分は、釘傘２２が滑らず釘２１を係止することができるような形状（例えば、面取りされていない形状）とし、十分な剛性を有するのが好ましい。
【００１９】
この実施形態では、設置用脚４０は傾斜計本体１１の長さ方向に沿って対向面１２上を上下方向に平行に移動させることができるようになっている。
設置用脚４０を傾斜計本体１１の長さ方向に沿って移動させられるようにするための構成には特に制限はないが、この実施形態では、例えば、図５で示されたような構成が採用されている。
この実施形態では、傾斜計本体１１は角パイプにより構成されている。傾斜計本体１１の対向面１２には、傾斜計本体１１の長さ方向に長い辺を持つ長方形の切り込み１６が存在する。設置用脚４０は、その基端を対向面１２に挿入した状態で、傾斜計本体１１に接続される。
傾斜計本体１１の内部には、設置用脚４０の基端を固定するための固定板７０、及び、固定板７０と嵌め合わされて固定板７０とともに傾斜計本体１１内部を、上述の切り込み１６に沿って移動する移動台８０とが収納されている。
固定板７０は、その中央に貫通孔７１が設けられた矩形の板部７２と、板部７２の対向する２辺から傾斜計本体１１の背面方向に延びる角柱状の２本の固定用脚７３とを備えている。設置用脚４０はネジ９０によって固定板７０に固定されている。上述の貫通孔７１を貫通させたネジ９０を設置用脚４０の基端側の面に螺合させることにより、その固定は行われている。それを可能とするため、設置用脚４０の傾斜計本体１１側の面には、ネジ９０が螺合させられるようなネジ切りがその内部にされたネジ穴４１が設けられている。また、貫通孔７１の径は、ネジ９０のネジ部分は通るが、ネジ傘は通らない大きさとされている。
移動台８０は、略直方体形状とされている。移動台８０は、必ずしもこの限りではないが、この実施形態では樹脂製である。移動台８０の固定板７０に臨む面には、２つの差込口８１と、円柱状穴８２が設けられている。差込口８１は、その断面形状が、固定用脚７３の断面形状と略対応した穴であり、２つの固定用脚７３の位置と対応した位置にそれぞれ設けられている。円柱状穴８２は、比較的浅い断面円形の穴である。円柱状穴８２には、第２バネ１００の一端側が嵌め込めるようになっている。
固定板７０は、移動台８０との間に第２バネ１００を挟み込み、且つその２つの固定用脚７３を移動台８０の差込口８１のそれぞれに挿入した状態で、傾斜計本体１１の内部に収納されている。この状態では、第２バネ１００は、その一端を移動台８０に、その他端を固定板７０にそれぞれ当接させた状態で、縮んだ状態にある。したがって、固定板７０は第２バネ１００によって被測定面２０の方向に一定の力で常に付勢される。それにより、固定板７０の対向面１２側の面は、傾斜計本体１１の対向面１２の内壁に押接させられる状態になる。この状態では、固定板７０と傾斜計本体１１の内壁との摩擦による力によって設置用脚４０を、切り込み１６に沿って移動させることが殆ど不可能となる。しかしながら、設置用脚４０を、第２バネ１００を更に圧縮できるような力を加えて移動台８０の方向に押し込み、固定板７０が傾斜計本体１１の内壁に当接しないようにすれば、設置用脚４０は簡単に移動させられる。つまり、以上のような構成により、この実施形態では、設置用脚４０を切り込み１６の長さ方向に自由に動かせるようにすることと、設置用脚４０を切り込み１６の長さ方向の任意の位置で固定することとを両立させている。
もっとも、設置用脚４０は必ず移動できるようになっていなくてはならないわけではないし、移動できる方向も対向面１２に平行であれば傾斜計本体１１の長さ方向に沿った上下方向に限る必要はない。また、傾斜計１０の重心位置より上の範囲であれば、設置用脚３０も移動できるようになっていてもよい。
【００２０】
次いで、この傾斜計１０の使用方法について説明する。
傾斜計１０を使用するにあたっては、まず、傾斜計１０を被測定面２０に固定する。上述したように、傾斜計１０を被測定面２０に固定する場合には、傾斜計１０から伸びる設置用脚３０及び４０の先端を被測定面２０に当接させる。
このとき、設置用脚３０の可動体３１にある溝５２に適当な釘２１を嵌め込みつつ、設置用脚３０を被測定面２０に当接させる。このとき、設置用脚４０を被測定面２０に当接するにあたり、他の釘２１が干渉するようであれば、設置用足４０と他の釘２１が干渉しないように設置用脚４０を切り込み１６の範囲内で上下に移動させる。そして、設置用脚３０及び４０を被測定面２０に当接させた状態で、可動体３１を位置ａから位置ｂまで移動させ、可動体３１の接面３５を釘２１に係止させる。可動体３１から手を離すと、可動体３１の内部にある第１バネ３３で生じる強い弾性力によって、接面３１が位置ａに戻る方向で可動体３１が移動するので、可動体３１の接面３５の釘２１に対する係止は、可動体３１から手を離すと自動的に行われる。このとき設置用脚４０が被測定面２０に押付けられる力は、弾性体第１バネ３３の弾性力による一定の力となる。
この実施形態では、設置用脚３０及び４０が被測定面２０に当接する２点によって、傾斜計１０の仮想軸の傾斜角が決定される。そして、この仮想軸の傾斜角は、異なる角度で設置される複数の水準計１４のうち、水平を示した水準計１４の傾斜角によって示され、その傾斜角によって被測定面２０の傾斜角が測定される。作業者は、傾斜計１０が示す被測定面２０の傾斜角を見ながら、傾斜計１０から手を離した状態で、被測定面２０の傾斜角の調整など、必要な作業を行うことができる。
【図面の簡単な説明】
【００２１】
【図１】実施形態による傾斜計の構造を概略で示す側面図。
【図２】実施形態による傾斜計の斜視図。
【図３】図１に示した傾斜計の設置用脚にある可動体を拡大して示す図。
【図４】図３の可動体の内部構造を示す図。
【図５】図１の下部にある設置用脚の内部構造を示す図。
【符号の説明】
【００２２】
１０  傾斜計
１１  傾斜計本体
１２  対向面
１３  対向面の背面
１４  テーブル状部材
１５  水準計
１６  切り込み
２０  被測定面
２１  釘
２２  釘傘
３０  設置用脚
３１  可動体
３２  空洞
３３  第１バネ
３４  窪み
３５  接面
４０  設置用脚
４１  ネジ穴
５０  第１樹脂体
５１  第１突起部
５２  溝
５３  第２突起部
６０  第２樹脂体
７０  固定板
７１  貫通孔
７２  板部
７３  固定用脚
８０  移動台
８１  差込口
８２  円柱状穴
９０  ネジ
１００  第２バネ
【図１】
0005166066.tif 000002
【図２】
0005166066.tif 000003
【図３】
0005166066.tif 000004
【図４】
0005166066.tif 000005
【図５】
0005166066.tif 000006